(57)【要約】【課題】簡便で且つ安定した生体インピーダンス測定を可能とする動物用インピーダンス測定装置と、これを利用した信頼性の高い測定に基づいて体組成データを算出する動物用体組成計を提供する。【解決手段】動物の四肢の各足裏に接触させるインピーダンス測定用電極上にて、動物の脚間距離応じて可動する保定手段を用いて動物を保定することにより、測定状態の安定した高精度なインピーダンス測定が可能である。また、前記インピーダンスと、体重及び個体情報とに基づいて信頼性の高い体組成データを得ることができ、動物の健康管理を行うことができる。【選択図】        図１
2005160442.tif 000002
【特許請求の範囲】
【請求項１】
動物の生体インピーダンスを測定する動物用インピーダンス測定装置において、
動物の四肢の各足裏に接触させるインピーダンス測定用電極と、
動物の四肢を前記インピーダンス測定用電極上にて各々保定する保定手段と、
前記保定手段を動物の四肢の脚間距離に応じて位置変更する保定位置可変手段とを有する動物用インピーダンス測定装置。
【請求項２】
前記インピーダンス測定用電極と前記保定手段とが一体で構成されることを特徴とする請求項１記載の動物用インピーダンス測定装置。
【請求項３】
請求項１又は２記載の動物用インピーダンス測定装置と、体重又は胴周囲径の内、少なくとも一方を入力する体重情報入力手段と、性別、年齢、種別情報及び体長情報等の個体情報の内、少なくとも体長情報を入力する個体情報入力手段と、前記生体インピーダンス、体重情報及び個体情報とに基づいて、動物の体組成データを算出する体組成データ算出手段とを有する動物用体組成計。
【請求項４】
前記保定位置可変手段は、各脚間距離を計測する脚間距離計測手段を更に有することを特徴とする請求項３記載の動物用体組成計。
【請求項５】
前記個体情報入力手段は、前記脚間距離の内、前後脚間距離を前記体長情報として手動又は自動で入力することを特徴とする請求項４記載の動物用体組成計。
【請求項６】
前記個体情報入力手段は、前記脚間距離の内、前後及び左右の各脚間距離の比率より体型種別を設定する体型種別設定手段を更に有し、前記種別情報として手動又は自動で入力することを特徴とする請求項４記載の動物用体組成計。
【発明の詳細な説明】
【技術分野】
【０００１】
本発明は、動物の生体インピーダンスを測定するための装置、及びこれを利用して動物の体組成データを取得するための動物用体組成計に関する。
【背景技術】
【０００２】
従来の動物インピーダンス測定装置においては、犬を四つん這いのまま宙吊りに保定し、測定者は両掌部にインピーダンス測定用電極を配した手袋を当て、動物の四肢の特定部位を把持して電極を接触させることにより、前脚の把持部から後脚の把持部までのインピーダンス測定を行うものがあった（例えば、特許文献１参照）。
【特許文献１】特開２００３−１４４００５号公報
【発明の開示】
【発明が解決しようとする課題】
【０００３】
しかしながら、測定中、犬は保定具により宙吊りで保定されるため、不自然な状態を余儀なくされ、測定者は、前記手袋を当て犬の脚の正確な位置を把持していなければならず、犬及び測定者共に負担の大きい測定方法であった。
【０００４】
また、人間が特定部位を把持することにより電極を接触させるため、動物の骨格や筋肉の構造などある程度の専門的な知識を要する。また、把持の仕方によっては電極の接触状態が変動することから測定値が安定せず、押し圧によっても電極と皮膚との接触抵抗が大きく変動するため、測定誤差が生じやすかった。
【０００５】
また、手袋に配したインピーダンス測定用電極の表面には、体毛を掻き分けて皮膚に直接接触させるような突起状導電体を必要とした。更に、大型犬に対応するためには、大型犬を宙吊りで保定するのに耐え得る、大型の保定具が必要であった。
【０００６】
従って本発明は上述の問題点を解決し、簡便で且つ安定した生体インピーダンス測定を可能とする動物用インピーダンス測定装置と、これを利用した信頼性の高い測定に基づいて体組成データを算出する動物用体組成計を提供する。
【課題を解決するための手段】
【０００７】
上記課題を解決するために本発明は、動物の生体インピーダンスを測定する動物用インピーダンス測定装置において、動物の四肢の各足裏に接触させるインピーダンス測定用電極と、動物の四肢を前記インピーダンス測定用電極上にて各々保定する保定手段と、前記保定手段を動物の四肢の脚間距離に応じて位置変更する保定位置可変手段とを有する動物用インピーダンス測定装置を提供する。
【０００８】
また、前記インピーダンス測定用電極と前記保定手段とが一体で構成される。
【０００９】
また本発明は、前記動物用インピーダンス測定装置と、体重又は胴周囲径の内、少なくとも一方を入力する体重情報入力手段と、性別、年齢、種別情報及び体長情報等の個体情報の内、少なくとも体長情報を入力する個体情報入力手段と、前記生体インピーダンス、体重情報及び個体情報とに基づいて、動物の体組成データを算出する体組成データ算出手段とを有する動物用体組成計を提供する。
【００１０】
ここで、体組成データは、体脂肪、除脂肪、体水分、筋肉又は骨等の、量又は率に関するデータである。
【００１１】
また、前記保定位置可変手段は、各脚間距離を計測する脚間距離計測手段を更に有するものであり、この脚間距離計測手段は、各保定手段間距離を各脚間距離とみなし、保定手段間の移動距離を計測するものである。
【００１２】
また、前記個体情報入力手段は、前記脚間距離の内、前後脚間距離を前記体長情報として手動又は自動で入力する。更に、前後及び左右の各脚間距離の比率より体型種別を設定する体型種別設定手段を更に有し、前記種別情報として手動又は自動で入力する。
【発明の効果】
【００１３】
本発明の動物インピーダンス測定装置は、動物の生体インピーダンスを測定する動物用インピーダンス測定装置において、動物の四肢の各足裏に接触させるインピーダンス測定用電極と、動物の四肢を前記インピーダンス測定用電極上にて各々保定する保定手段と、前記保定手段を動物の四肢の脚間距離に応じて位置変更する保定位置可変手段とを有することにより、動物に精神的及び身体的負担を掛けない姿勢で保定することが可能であり、電極接触位置を足裏として測定状態を安定させることにより、高精度に測定が可能である。また、動物の四肢を各電極上に載置するだけの簡便な測定であるため、測定者への負担も軽減される。
【００１４】
またこの時、電極接触位置である足裏は、皮膚表面が体毛に覆われることなく露出しているため、電極表面に体毛を避ける構造を必要とせず、一般的な平面電極を利用することができる。
【００１５】
また、前記インピーダンス測定用電極と前記保定手段とが一体で構成されることにより、装置全体の省スペース化が可能である。
【００１６】
また本発明の動物用体組成計は、前記動物用インピーダンス測定装置と、体重又は胴周囲径の内、少なくとも一方を入力する体重情報入力手段と、性別、年齢、種別情報及び体長情報等の個体情報の内、少なくとも体長情報を入力する個体情報入力手段と、前記生体インピーダンス、体重情報及び個体情報とに基づいて、動物の体組成データを算出する体組成データ算出手段とを有することにより、前記の高精度なインピーダンス測定によって得られたデータに基づいて、より信頼性の高い体組成データを得ることができ、動物の健康管理を行うことができる。
【００１７】
また、前記保定位置可変手段は、各脚間距離を計測する脚間距離計測手段を更に有することにより、体組成データ算出に必要な動物の形態パラメータを簡便に計測することが可能である。
【００１８】
また、前記個体情報入力手段は、前記脚間距離の内、前後脚間距離を前記体長情報として手動又は自動で入力することにより、別途体長を測定する必要が無く、測定をより簡便にすることが可能である。
【００１９】
更に、前記個体情報入力手段は、前記脚間距離の内、前後及び左右の各脚間距離の比率より体型種別を設定する体型種別設定手段を更に有し、前記種別情報として手動又は自動で入力することにより、同じ動物種であっても、細長タイプや幅広タイプ等として分類することが可能であり、より詳細な区分に従って体組成データを算出することが可能である。
【発明を実施するための最良の形態】
【００２０】
本発明は、動物の生体インピーダンスを測定する動物用インピーダンス測定装置において、動物の四肢の各足裏に接触させるインピーダンス測定用電極と、動物の四肢を前記インピーダンス測定用電極上にて各々保定する保定手段と、前記保定手段を動物の四肢の脚間距離に応じて位置変更する保定位置可変手段とを有して構成し、前記インピーダンス測定用電極と前記保定手段とが一体で構成されても良い。
【００２１】
また本発明は、前記動物用インピーダンス測定装置と、体重又は胴周囲径の内、少なくとも一方を入力する体重情報入力手段と、性別、年齢、種別情報及び体長情報の内、少なくとも体長情報を入力する個体情報入力手段と、前記生体インピーダンス、体重情報及び個体情報とに基づいて、動物の体組成データを算出する体組成データ算出手段とを有する動物用体組成計として構成する。
【００２２】
また、前記保定位置可変手段は、各脚間距離を計測する脚間距離計測手段を更に有し、前記個体情報入力手段は、前記脚間距離の内、前後脚間距離を前記体長情報として入力する。また、前後及び左右の各脚間距離の比率より体型種別を設定する体型種別設定手段を更に有し、前記種別情報として入力する。
【実施例１】
【００２３】
本発明の動物用インピーダンス測定装置及びこれを用いた動物用体組成計の実施例１を、以下図面を用いて詳述する。
【００２４】
図１乃至図３は実施例１の構成を示す図であり、図１は動物用体組成計外観正面図であり、図２は後述する保定位置可変部を示すＡ部斜視図である。図３は電気ブロック図を示す。
【００２５】
まず、図１及び図２を用いて構成を説明する。動物用体組成計１は、内部に荷重センサを備えた公知の体重測定部２上に、動物の四肢の各足裏に各々接触させる４つのインピーダンス測定用電極４ａ、４ｂ、４ｃ及び４ｄを備え、各々電流印加電極４ａ及び４ｃと、電圧測定電極４ｂ及び４ｄとする。また、各インピーダンス測定用電極上で動物の四肢を各々保定するために、動物の脚を挿し入れて、動作を制限する筒状の保定部５ａ、５ｂ、５ｃ及び５ｄを有し、各保定部は、後述する保定位置可変部６に接続されて構成する。また、データ入力操作を行う操作部７と、ガイダンスや測定結果等を表示する表示部８とを備えて構成している。ここで、動物の載置に関しては、前記インピーダンス測定用電極４ａ及び４ｂを前脚側とし、同じく４ｃ及び４ｄを後脚側として載置するものとする。
【００２６】
前記保定位置可変部６の構成及び機構を、図２に示した、前脚側の保定位置可変部６を表すＡ部斜視図を用いて説明する。保定位置可変部６は、前記保定部５ａ及び５ｂから各々伸びるアーム部１０ａ及び１０ｂと、各アーム部１０ａ及び１０ｂを左右脚幅方向に可動させるスライド部１１と、前記スライド部１１を前後脚幅方向に可動させるスライドベース部１２とから成り、前記スライドベース部１２は前記体重測定部２上に固定されて構成する。これにより、アーム部１０ａ及び１０ｂを各々スライドさせることにより、各保定部５ａ及び５ｂを動物の左右脚間距離に合わせ、スライド部１１をスライドさせることにより、両保定部５ａ及び５ｂを前脚位置に合わせることが可能となる。
【００２７】
ここで、前記各スライド機構は、スライダとガイドとから成る公知のスライド機構であり、各々任意の位置又は一定間隔毎に位置固定可能とするストッパー構造を有する。例えば、ノギスのように、スライダをガイドに沿って任意の距離引き出し、位置決め後ネジ締めして固定するものや、ガイドとスライダ間に複数の鋼球を並べて配し、鋼球の転がりを利用してスライダを移動させ、ガイド又はスライダをモーターによって制御することにより位置決め及び固定するものでも良い。
【００２８】
また、後脚側の保定部５ｃ及び５ｄのスライド機構も前述と同様である。よって、動物の四肢を各保定部に挿し入れ、前脚側及び後脚側の両保定位置可変部６を操作することにより、動物に負担のかからない姿勢で、動物の四肢の各足裏を各々インピーダンス測定用電極に接触させて保定することが可能である。
【００２９】
図３を用いて、本実施例１の動物用体組成計１の電気ブロック図を説明する。前記電流印加電極４ａ及び４ｃと、電圧測定電極４ｂ及び４ｄとが各々電流供給部２０と電圧測定部２１を介して制御部２２に接続されており、更に体重測定部２、操作部７及び表示部８とが制御部２２に接続されている。また制御部２２は、個体データ、測定データ及び演算式等を記憶する記憶部２３と、体組成データ等を演算する演算部２４とに接続され、電源２５を備えて構成する。
【００３０】
図４は本実施例１の動物用体組成計１の動作を示すフローチャートである。以下フローチャートに従って、犬を被検体例として動作を説明する。
【００３１】
まず、動物体組成計１の操作部７に設けた電源スイッチにより電源をオンすると、ステップＳ１において装置の初期設定が成される。続いてステップＳ２において、個体データが登録済みかどうか判断される。ここで、個体データは犬種、性別、年齢及び体長であり、これら個体データが記憶部２３に格納されているかどうか判断する。
【００３２】
記憶部２３に前記個体データが格納されていない場合ＮＯに進み、ステップＳ３において個体データの登録を指示するメッセージを表示部８に表示する。測定者はこの指示に従い操作部７に設けたアップ／ダウン及び選択等の設定キーを操作して前記個体データを入力すると、記憶部２３にデータが格納され登録される。続くステップＳ４において、記憶部２３より前記個体データを読み込み、表示部８に表示する。
【００３３】
また、前記ステップＳ２において既に個体データが登録済みの場合ＹＥＳに進み、前記同様に、ステップＳ４において個体データを表示する。
【００３４】
ステップＳ５において、表示部８に表示された個体データの確認メッセージが表示される。個体データを変更する場合ＮＯに進み、再びステップＳ３において、操作部７に設けた設定キーを用いてデータ入力操作を行うことにより個体データの登録が成される。個体データの変更が無い場合操作部７に設けた決定ボタンを押すことによりＹＥＳに進み、ステップＳ６において、測定開始の指示を表示部８に表示すると共に、操作部７に設けた測定開始スイッチが押されたかどうか検出を繰り返す。
【００３５】
ここで前述したように、被検体の四肢を挿し入れた各保定部５ａ、５ｂ、５ｃ及び５ｄを、保定位置可変部６を用いて、犬が自然な姿勢で、各足裏を各々インピーダンス測定用電極４ａ、４ｂ、４ｃ及び４ｄに接触させた状態で保定する。操作部７の測定開始スイッチを押すと、ステップＳ７に進む。
【００３６】
まずステップＳ７において体重測定部２より体重が測定され、測定データは制御部２２を介して演算部２４に入力される。
【００３７】
次にステップＳ８において生体インピーダンスが測定され、前記体重同様測定データを演算部２４に入力する。
【００３８】
ステップＳ９において、前記入力した個体データ、体重及び生体インピーダンスとから体組成データを演算するために、予め記憶部２３に記憶してある各体組成データ算出用の回帰式等の演算式を読み込み、続くステップＳ１０において体組成データを演算する。ここで、体組成データは、体脂肪、除脂肪、体水分、筋肉又は骨の量又は率に関するデータであり、各々の演算式を記憶部２３に記憶しておくことにより算出する。前記演算式は、例えば体脂肪率の演算式を例に挙げると、予め公知のＤＥＸＡ法により測定した体脂肪率と、前記体長、体重及び生体インピーダンスとの相関から得られる回帰式であり、前記体長以外の個体データ毎に記憶部２３に記憶しておくものである。また、体脂肪率以外の前記体組成データの演算式も、各々同様に回帰式を得るが、これら回帰式は、公知の人間の体組成データ算出式を応用可能であるため説明は省略する。
【００３９】
ステップＳ１１において前記測定結果及び演算結果を表示部８に表示し、記憶部２３に個体データに関連付けて過去データとして記憶部２３に記憶する。表示を確認した後、操作部７の電源スイッチを押し電源をオフして終了する。
【実施例２】
【００４０】
本発明の実施例２は保定部の移動距離を計測することにより、前後及び左右脚間距離を算出し、前後脚間距離を体長情報として入力し、前後脚間距離及び左右脚間距離の比率を用いて動物の体型種別を選択及び入力することにより、予め体長を測定する必要がなく簡便であり、また犬種が不明な場合にも、体型により分別可能であるため、信頼性の高いデータを得ることができる。
【００４１】
実施例２の動物用体組成計の構成は、前記実施例１の構成に、図５の電気ブロック図に示すように、脚間距離計測部３０を追加して構成したものである。以下、実施例１と同じ構成部分に関しては同じ符号を用いて説明する。前記脚間距離計測部３０は、図示しないが、前記保定位置可変部６の各スライド部の移動距離を計測する公知のエンコーダを備え、前記各保定部５ａ、５ｂ、５ｃ及び５ｄ間の距離を検出するものである。本実施例においては、前脚側のアーム部１０ａ及び１０ｂの移動距離を計測することにより、保定部５ａ及び５ｂ間、すなわち左右脚間距離を検出する。また、前脚及び後脚の各スライダ部１１の移動距離を計測することにより、前後脚間距離を検出するものである。
【００４２】
本実施例２の動物用体組成計の動作を図６及び図７を用いて説明する。図６はメインフローチャートであり、図７は測定及び演算のサブルーチンである。
【００４３】
図６のメインフローチャートにおいて、動物体組成計１の電源をオンする。続くステップＳ１０１からステップＳ１０６までのステップは、図４のフローチャートにより示した実施例１のステップＳ１からステップＳ６までのステップと同様の動作である。ただし、図６のステップＳ１０３の個体データ登録に関しては、実施例１では犬種、性別、年齢及び体長を入力したが、前述したように、犬種及び体長に関しては、前後及び左右脚間距離を用いて自動で入力されるものであるため、実施例２においては、個体データとして性別及び年齢のみ入力するステップであるとする。
【００４４】
ステップＳ１０６において、実施例１と同様にして被検体が保定され、測定開始スイッチが押されるとＹＥＳに進み、ステップＳ１０７において、図７を用いて後述する測定及び演算を行った後、ステップＳ１０８において、表示部８に結果を表示し、記憶部２３にデータを記憶して終了する。
【００４５】
前記ステップＳ１０７の測定及び演算に関して、図７のサブルーチンを用いて説明する。図６のメインルーチンにおいてステップＳ１０７に進むと、図７のステップＳ１１０において、体型種別が個体データとして登録されているかどうかが判断される。体型種別が既に登録されていればＹＥＳに進み、ステップＳ１１１において、前記保定位置可動部６に配した脚間距離計測部３０によって、被検体の前後脚間距離を計測し、体長情報として自動で入力し、次のステップＳ１１２に進む。
【００４６】
ここで、ステップＳ１１２からステップＳ１１５までの動作は、図４のフローチャートにより示した実施例１のステップＳ７からＳ１０までの動作と同様であり、測定及び演算の終了と共に、前記図６のメインルーチンに戻る。
【００４７】
また、前記ステップＳ１１０において、体型種別が登録されていない場合ＮＯに進み、ステップＳ１１６において、被検体の年齢が１歳以上であるかどうかが、前記入力した年齢に基づいて判断される。これは体型種別の判定においては骨格の成長が安定している必要があるため、成犬であるかどうかを判別するものである。
【００４８】
よって、年齢が１歳未満であった場合、体型種別の適用されない子犬であると判断しＮＯに進み、前記ステップＳ１１１において前後脚間距離を計測し、体長情報として入力する。また、年齢が１歳以上であった場合ＹＥＳに進み、ステップＳ１１７及びステップＳ１１８において体型種別の判定が行なわれる。
【００４９】
ステップＳ１１７において、前記脚間距離計測部３０を用いて各保定部の移動距離に基づいて、前後脚間距離及び左右脚間距離を計測し入力する。続くステップＳ１１８において演算部２４は、前後及び左右脚間距離の比率から体格を推定し、予め分類してある体型種別の内、適合する体型種別を個体データとして登録する。
【００５０】
ここで体型種別の分類は例えば、一般タイプ、細長タイプ及び幅広タイプの３タイプに分別され、前後脚間距離をＬとし、左右脚間距離をＷとして、ＬとＷとの比率により分類する。すなわち、予め実測データから求めたＷ／Ｌと、犬種との関係から前記３タイプに分類するＷ／Ｌの範囲を設定しておく。例えば、一般タイプの範囲を、ｘ＜Ｗ／Ｌ≦ｙ、（ｘ、ｙは定数である）と設定し、細長タイプの範囲をＷ／Ｌ≦ｘ、また幅広タイプの範囲をＷ／Ｌ＞ｙと設定しておくことにより、測定データに対して体型種別の判定が可能となる。
【００５１】
前記体型種別の登録が完了すると、ステップＳ１１２に進み、以降ステップＳ１１５まで、前述のように測定及び演算され、前記体型種別に応じた回帰式により信頼性の高いデータを得て、図６のメインルーチンに戻る。
【００５２】
なお、体型種別はＷ／Ｌにより３タイプに分類したが、分類をより細分化することも可能である。例えば、後脚側の左右脚間距離も前述と同様に検出し、前脚側の左右脚間距離をＷｆとし、後脚側の左右脚間距離をＷｒとして、Ｗｆ−Ｗｒ＞ｚ（ｚは定数である）となる場合を肩広タイプとして分類しても良い。
【実施例３】
【００５３】
本発明の実施例３は、保定部と生体インピーダンス測定用電極とが一体で可動するように構成し、収納時の省スペース化を可能としたものである。
【００５４】
図８及び図９を用いて実施例３の動物用体組成計１００の構成を示す。図８は外観正面図であり、図９は図８の中に示したＢ−Ｂ断面図である。ここで、実施例１及び実施例２と同じ構成部分に関しては、同じ符号を用いて説明する。
【００５５】
各保定部５ａ、５ｂ、５ｃ及び５ｄは、実施例１及び実施例２と同様に、各々アーム部１０ａ、１０ｂ、１０ｃ及び１０ｄに接続されて成る。また、各保定部の底面に各々インピーダンス測定用電極４ａ、４ｂ、４ｃ及び４ｄを配して構成される。
【００５６】
前記アーム部１０ａ及び１０ｂは、各々アームスライド部１０１により左右方向にスライドし、同様に前記アーム部１０ｃ及び１０ｄは、アームスライド部１０２により左右方向にスライドする。前記アームスライド部１０１及び１０２は各々、前後方向へのスライド機構を有するスライドベース部１０３とスライド部１０４に接続されて成る。
【００５７】
これにより、インピーダンス測定用電極を底面に配した各保定部５ａ、５ｂ、５ｃ及び５ｄを各々動物の脚間距離に合わせることができる。
【００５８】
更に図９に示すように、前記保定部５ａ及び５ｂは各々、例えばロードセル等の公知の荷重センサを内蔵した荷重センサ部１０５ａ及び１０５ｂ上に配されて構成しており、図示しないが、前記保定部５ｃ及び５ｄも同様に荷重センサ部１０５ｃ及び１０５ｄを備えて成り、これら荷重センサ部１０５ａ、１０５ｂ、１０５ｃ及び１０５ｄにより公知の４点式体重測定装置を構成することにより、動物用体組成計１００上に載置した動物の体重を測定することが可能である。
【００５９】
前記動物用体組成計１００の動作は、図４のフローチャートにより示した実施例１と同様に動作するものとする。
【実施例４】
【００６０】
本実施例は、実施例１乃至実施例３において用いた筒状の保定部とは別の保定形態を示すものである。図１０及び図１１を用いて構成を説明する。図１０は外観斜視図であり、図１１は動物の保定状態を示した外観正面図である。
【００６１】
図１０に示す動物用体組成計２００は、体重測定部２上にインピーダンス測定用電極４ａ、４ｂ、４ｃ及び４ｄを配し、体重測定部２上面を取り囲むようにスライド枠２０５を設け、前記スライド枠２０５の一辺から対辺に平行に２本渡されたスライドバー２０１及び２０２と、これと直交して別の２辺に渡された２本のスライドバー２０３及び２０４とを配して成る。また前記スライド枠上面には操作部７と表示部８とを備えて成る。
【００６２】
前記各スライドバー２０１、２０２、２０３及び２０４は、各々両端をスライド枠のスライド機構によって、図中黒塗りの矢印で示すように摺動可能とし、各スライド機構は、実施例１で示したストッパーを備えた公知のスライド機構であるとする。
【００６３】
次に、図１１を用いて動物の保定状態を説明する。図中斜線部で示した各電極４ａ、４ｂ、４ｃ及び４ｄ上に、各々四肢の足裏を接触させて動物を載置する。前記接触位置を黒丸で示した。前記各スライドバー２０１、２０２、２０３及び２０４を黒塗りの矢印方向にスライドさせて、各脚に２本のスライドバーを接触させることにより脚の動きを制限して保定するものである。
【００６４】
前記動物用体組成計２００の動作は、図４のフローチャートにより示した実施例１と同様に動作するものとする。
【００６５】
なお、実施例４において、スライドバー２０１、２０２、２０３及び２０４が脚に接触する位置を高くしても良い。すなわち、足首付近よりも、脚の付け根付近で接触させることによって、より動物の脚の動作を制限することができ、安定した保定が可能である。
【００６６】
また、実施例３及び実施例４において、実施例２と同様に、各スライド機構部に公知のエンコーダを配して成る脚間距離計測部３０を更に設け、各保定部又はスライドバー間の距離を計測し、前後脚間距離を体長情報として入力し、前後脚間距離及び左右脚間距離の比率を用いて動物の体型種別を判定及び入力することにより、図６及び図７のフローチャートに示した実施例２と同様の動作が可能である。
【００６７】
また、前記脚間距離計測部３０は、各スライド機構部に公知のエンコーダを配して各保定部間距離を自動入力するものとしたが、各スライド機構部の移動距離を数値で読み取れる目盛りを配することにより、読み取った数値を操作部７に設けた設定キーを用いて手動で数値入力しても良い。
【００６８】
なお、実施例１から実施例４においては、被検体として犬を用いた例を示したが、足裏でのインピーダンス測定ができる動物であれば、犬に限らず他の動物でも良い。特に、足裏が硬質化しておらず、蹠球、いわゆる肉球を有する動物ではインピーダンスが正確に測定できる。
【実施例５】
【００６９】
前記実施例１乃至実施例４においては、体組成データの演算パラメータとして、少なくとも生体インピーダンス、体重及び体長を用いたが、本実施例においては、体重に代えて胴周囲径を用いて体組成データを演算する例を示す。これにより、体重測定部が不要となり小型且つ安価な装置とすることが可能となる。本実施例においては、前記胴周囲径の計測部位を前脚付け根付近の胴周囲として定義する（以下、胸囲径と言う。）。
【００７０】
以下、前記実施例１との差異を示すことにより、本実施例を説明する。まず、構成においては、改めて図示しないが、実施例１の説明に用いた図１及び図３により説明する。本実施例の構成は、図１の外観斜視図に示した動物用体組成計１の底面に配した体重測定部２をなくし、動物用体組成計１の高さを低く構成したものである。これに伴い図３に示した電気ブロック図においても体重測定部２を不要として構成したものである。
【００７１】
次に本実施例の動作を説明する。図１２は本実施例の動作を示すフローチャートであり、前記図４に示した実施例１の動作を示すフローチャートとの差異を示すことにより説明する。
【００７２】
図１２において、まず実施例１と同様にして装置電源をオンすると、ステップＳ２０１において図４のステップＳ１と同様に初期設定がなされる。続くステップＳ２０２においては、図４のステップＳ２と同様に、犬種、性別、年齢及び体長をデータとする個体データ登録済みかどうかの判断され、更にこのステップにおいては、前記個体データ登録の判断に加え、胸囲径が登録されているかどうかも判断される。
【００７３】
よって、ステップＳ２０３においては、前記個体データの入力に加えて、予めメジャー等で測定した前記胸囲径を操作部７に設けた設定キーにより数値入力する。
【００７４】
次のステップＳ２０４からステップＳ２０６までは、図４のステップＳ４からステップＳ６までと同様に動作するが、実施例１においては、続くステップＳ７において、前記体重測定部２により体重を測定したが、本実施例においては、体重を測定及び入力する手順は不要となる。従って、図１２に示すように、前記ステップＳ２０６において測定が開始されると、図４のステップＳ８と同様に、ステップＳ２０８においてインピーダンス測定及び入力がなされる。
【００７５】
図１２のステップＳ２０９及びステップＳ２１１は、図４のステップＳ９及びステップＳ１１と同様に、記憶部２３から演算式を読み込み、体組成データを演算し、測定結果及び演算結果等を表示部８に表示すると共に記憶部２３に記憶するものである。
【００７６】
ここで、本実施例において体脂肪率を演算する前記演算式は、予め公知のＤＥＸＡ法により測定した体脂肪率と、前記生体インピーダンス、体長及び胸囲径との相関から得られる回帰式である。ここで、前記ＤＥＸＡより測定された体脂肪率と前記生体インピーダンスとの間には相関があることが知られており、また発明者らの実験により、前記体脂肪率と胸囲径及び体長との間にも図１３に示すように、体脂肪率（％ＦＡＴ）＝ｐ（胸囲径／体長）＋ｑからなる相関があることがわかった。
以上より、前記回帰式は例えば、体脂肪率（％ＦＡＴ）＝α×（生体インピーダンス）＋β（胸囲径／体長）＋γにより表され、より精度よく体脂肪率の算出が可能である。ここで、α、β及びγは定数である。
【００７７】
また、前記体組成データとして、除脂肪量、骨塩量、筋肉量又は体水分量を演算する演算式を各々記憶部２３に記憶させておくことにより、各データを算出可能である。
【００７８】
例えば、除脂肪量の演算においては、前記体脂肪率の演算式と同様にして、予め公知のＤＥＸＡ法により測定した除脂肪量と、前記生体インピーダンス、体長及び胸囲径との相関から得られる回帰式により演算する。前記回帰式は、除脂肪量（ｋｇ）＝δ×（胸囲径）＋ε×｛（体長）２／生体インピーダンス｝＋ζで表され、δ、ε及びζは定数である。前記ＤＥＸＡ法により測定した除脂肪量と前記回帰式により求めた除脂肪量との関係は図１４に示すように高い相関が得られることがわかる。
【００７９】
また骨塩量及び筋肉量は、前記除脂肪量の演算と同様に回帰式を求めても良いが、ここでは、前記回帰式により得られた除脂肪量に基づいて算出する演算式を示す。まず骨塩量は、骨塩量（ｋｇ）＝η×（前記回帰式により得られた除脂肪量）＋κにより表され、η及びκは定数である。図１５に示すように、ＤＥＸＡ法により測定された骨塩量と前記演算式により算出された骨塩量とは高い相関を示すことがわかる。
【００８０】
前記筋肉量は、筋肉量（ｋｇ）＝（前記回帰式により得られた除脂肪量）−（前記演算式により算出された骨塩量）により表され、図１６に示すように、ＤＥＸＡ法により測定された筋肉量と前記演算式により算出された筋肉量とは高い相関を示すことがわかる。
【００８１】
更に、体水分量は、体水分量（ｋｇ）＝０．７２４×（除脂肪量）＋０．２５５なる除脂肪量との関係式が公知であることから、前記関係式にＤＥＸＡ法により測定した除脂肪量を代入して求められる体水分量と、前記生体インピーダンス、体長及び胸囲径との相関より、体水分量を精度よく求める回帰式が得られ、体水分量（ｋｇ）＝λ×（胸囲径）＋μ×｛（体長）２／生体インピーダンス｝＋νで表される。ここで、λ、μ及びνは定数である。図１７に示すように、前記ＤＥＸＡ法により測定した除脂肪量に基づいて求めた体水分量と、前記回帰式により算出された筋肉量とは高い相関を示すことがわかる。
【００８２】
以上のように算出された各体組成データを、前記ステップＳ２１１において表示部８に表示された結果を確認した後、操作部７の電源スイッチにより電源をオフして終了する。
【００８３】
なお、前記骨塩量及び筋肉量は、ＤＥＸＡ法により測定した骨塩量及び筋肉量の各々と、前記生体インピーダンス、体長及び胸囲径との相関から得られる回帰式を用いても良い。
【図面の簡単な説明】
【００８４】
【図１】実施例１の動物用体組成計の外観正面図である。
【図２】Ａ部斜視図である。
【図３】実施例１の電気ブロック図である。
【図４】実施例１の動作のフローチャートである。
【図５】実施例２の電気ブロック図である。
【図６】実施例２の動作のメインフローチャートである。
【図７】実施例２の動作のサブフローチャートである。
【図８】実施例３の外観正面図である。
【図９】Ｂ−Ｂ断面図である。
【図１０】実施例４の外観斜視図である。
【図１１】実施例４の外観正面図である。
【図１２】実施例５の動作のフローチャートである。
【図１３】体脂肪率と体長及び胸囲径との関係を示すグラフである。
【図１４】ＤＥＸＡ測定と回帰式により算出した除脂肪量との比較グラフである。
【図１５】ＤＥＸＡ測定と演算式により算出した骨塩量との比較グラフである。
【図１６】ＤＥＸＡ測定と演算式により算出した筋肉量との比較グラフである。
【図１７】ＤＥＸＡ測定と回帰式により算出した体水分量との比較グラフである。
【符号の説明】
【００８５】
１      動物用体組成計
２      体重測定部
４ａ、４ｂ、４ｃ、４ｄ  インピーダンス測定用電極
５ａ、５ｂ、５ｃ、５ｄ  保定部
６      保定位置可変部
７      操作部
８      表示部
１０ａ、１０ｂ、１０ｃ、１０ｄ  アーム部
１１    スライド部
１２    スライドベース部
２０    電流供給部
２１    電圧測定部
２２    制御部
２３    記憶部
２４    演算部
２５    電源
３０    脚間距離計測部
１００  動物用体組成計
１０１、１０２  アームスライド部
１０３  スライドベース部
１０４  スライド部
１０５ａ、１０５ｂ、１０５ｃ、１０５ｄ  荷重センサ部
２００  動物用体組成計
２０１、２０２、２０３、２０４  スライドバー
２０５  スライド枠
【図１】
2005160442.tif 000003
【図２】
2005160442.tif 000004
【図３】
2005160442.tif 000005
【図４】
2005160442.tif 000006
【図５】
2005160442.tif 000007
【図６】
2005160442.tif 000008
【図７】
2005160442.tif 000009
【図８】
2005160442.tif 000010
【図９】
2005160442.tif 000011
【図１０】
2005160442.tif 000012
【図１１】
2005160442.tif 000013
【図１２】
2005160442.tif 000014
【図１３】
2005160442.tif 000015
【図１４】
2005160442.tif 000016
【図１５】
2005160442.tif 000017
【図１６】
2005160442.tif 000018
【図１７】
2005160442.tif 000019